(57)【要約】【課題】ユーザが容易且つ速やかに振動による報知動作パターンを検知して情報種別を知得することが可能な身体装着型端末及び報知方法を提供する。【解決手段】複数の振動モータと、外部機器と無線通信を行うための無線通信手段と、ユーザに対して報知する情報が無線通信手段により取得された場合に、予め設定された分類に応じて選択された複数の振動モータのうちの一部又は全部を動作させる振動報知制御手段と、を備える。【選択図】図４
2014239360.tif 000002
【特許請求の範囲】
【請求項１】
所定の距離を離して設けられた複数の振動モータと、
外部機器と無線通信を行うための無線通信手段と、
ユーザに対して報知する情報が前記無線通信手段により取得された場合に、予め設定された分類に応じて選択された前記複数の振動モータのうちの一部又は全部を動作させる振動報知制御手段と
を備えることを特徴とする身体装着型端末。
【請求項２】
前記分類に応じた前記振動モータの動作には、２つ以上の前記振動モータを所定の動作タイミングでそれぞれ動作させる場合を含むことを特徴とする請求項１記載の身体装着型端末。
【請求項３】
前記分類は、情報の内容種別、前記外部機器の種別、及び、情報の発信者のうち少なくとも一つに基づいて設定されることを特徴とする請求項１又は２記載の身体装着型端末。
【請求項４】
前記無線通信手段は、複数の前記外部機器と同時に通信接続状態を維持することが可能であることを特徴とする請求項１〜３の何れか一項に記載の身体装着型端末。
【請求項５】
前記複数の振動モータのうち、少なくとも二つは、互いに異なる振動方向の振動が出力されるように設けられていることを特徴とする請求項１〜４の何れか一項に記載の身体装着型端末。
【請求項６】
身体装着型端末本体と、
当該身体装着型端末をユーザの身体に固定するための保持部と、
を備え、
前記複数の振動モータのうち、少なくとも一つは、前記保持部に設けられている
ことを特徴とする請求項１〜５の何れか一項に記載の身体装着型端末。
【請求項７】
ユーザと接触し、前記振動モータの振動をユーザに伝えるカバー部を有し、
前記カバー部は、前記複数の振動モータにそれぞれ対応して設けられた複数のカバー部材が接合されて形成されている
ことを特徴とする請求項１〜６の何れか一項に記載の身体装着型端末。
【請求項８】
前記複数のカバー部材は、所定の緩衝部材を介して接合されていることを特徴とする請求項７記載の身体装着型端末。
【請求項９】
ユーザと接触し、前記振動モータの振動をユーザに伝えるカバー部を有し、
前記カバー部には、前記複数の振動モータにそれぞれ対応して振動を伝達する複数の突起部が形成されている
ことを特徴とする請求項１〜８の何れか一項に記載の身体装着型端末。
【請求項１０】
所定の距離を離して設けられた複数の振動モータと、外部機器と無線通信を行うための無線通信手段と、を備えた身体装着型端末によるユーザへの報知方法であって、
ユーザに対して報知する情報を前記無線通信手段により取得する報知情報取得ステップ、
予め設定された分類に応じて選択された前記複数の振動モータのうちの一部又は全部を動作させる振動報知制御ステップ、
を含むことを特徴とする報知方法。
【発明の詳細な説明】
【技術分野】
【０００１】
この発明は、ユーザが身に付けて使用する身体装着型端末及び報知方法に関する。
【背景技術】
【０００２】
従来、無線通信により外部機器から取得した情報に基づき、振動モータを振動させて所定のイベントの発生に係る報知動作を行う身体装着型端末がある。振動モータを用いることで、ユーザが表示画面を見ることが出来ず、且つ、音声報知を行い難い状況におけるイベントの発生を、ユーザに体感的に知得させることが出来る（例えば、特許文献１）。
【０００３】
しかしながら、報知対象のイベントの数や、イベントを取得する外部機器の数が増加すると、単に振動を発生させるだけでは、いかなる情報に係る報知動作であるのかをユーザが知得することが出来ず、結局、表示画面に表示されたり、音声情報として出力されたりする情報を確認する必要があった。
【０００４】
これに対し、特許文献２には、複数の外部機器との間でのBluetooth通信（登録商標：Bluetooth）の通信接続状態が悪い場合や、通信接続が切断された場合に、報知内容によって振動モータを含む各種報知手段による報知パターンを異ならせる技術について開示されている。
【先行技術文献】
【特許文献】
【０００５】
【特許文献１】特開平８−６５７４５号公報
【特許文献２】特開２００２−３３５１８５号公報
【発明の概要】
【発明が解決しようとする課題】
【０００６】
しかしながら、振動モータを用いた振動パターンによる報知動作は、視覚情報や聴覚情報と比較してユーザの識別精度が低いことから、識別可能な振動パターンの組み合わせを判別するための時間とユーザの集中力とが必要になるという課題がある。
【０００７】
この発明の目的は、ユーザが容易且つ速やかに振動による報知動作パターンを検知して情報種別を知得することが可能な身体装着型端末及び報知方法を提供することにある。
【課題を解決するための手段】
【０００８】
本発明は、上記目的を達成するため、
所定の距離を離して設けられた複数の振動モータと、
外部機器と無線通信を行うための無線通信手段と、
ユーザに対して報知する情報が前記無線通信手段により取得された場合に、予め設定された分類に応じて選択された前記複数の振動モータのうちの一部又は全部を動作させる振動報知制御手段と
を備えることを特徴とする身体装着型端末である。
【発明の効果】
【０００９】
本発明に従うと、身体装着型端末において、ユーザが容易且つ速やかに振動による報知動作パターンを検知して情報種別を知得することが出来るという効果がある。
【図面の簡単な説明】
【００１０】
【図１】本発明の実施形態の身体装着型端末を含む報知システムの全体図である。
【図２】第１実施形態の電子腕時計の内部構成を含むブロック図である。
【図３】報知設定記憶部の記憶内容を示す図表である。
【図４】第１実施形態の電子腕時計における振動モータの配置を示す図である。
【図５】振動モータによる振動パターンを説明する図である。
【図６】メッセージ受信処理の制御手順を説明するフローチャートである。
【図７】振動モータの配置の変形例を示す図である。
【図８】第１実施形態の電子腕時計の変形例を示す図である。
【図９】電子腕時計の他の変形例を示す図である。
【図１０】振動モータによる振動パターンの他の例を説明する図である。
【図１１】振動モータによる振動パターンの他の例を説明する図である。
【図１２】第２実施形態の報知設定記憶部の記憶内容を示す図表である。
【図１３】第２実施形態のメッセージ受信処理の制御手順を説明するフローチャートである。
【図１４】第３実施形態の電子腕時計の内部構成を示すブロック図である。
【図１５】第３実施形態の電子腕時計における振動モータの配置を示す図である。
【図１６】第３実施形態の報知設定記憶部の記憶内容を示す図表である。
【図１７】第３実施形態の電子腕時計おける３つの振動モータによる振動報知パターンを示す図である。
【図１８】第３実施形態のメッセージ受信処理の制御手順を説明するフローチャートである。
【図１９】第４実施形態の電子腕時計の内部構成を説明するブロック図である。
【図２０】第４実施形態の電子腕時計における振動モータの配置を示す図である。
【図２１】第４実施形態の報知設定記憶部の記憶内容を示す図表である。
【図２２】第４実施形態の電子腕時計における４つの振動モータによる振動報知パターンを示す図である。
【図２３】第４実施形態のメッセージ受信処理の制御手順を説明するフローチャートである。
【発明を実施するための形態】
【００１１】
以下、本発明の実施の形態を図面に基づいて説明する。
図１は、本発明の身体装着型端末である電子腕時計４００を含む報知システムＳの全体図である。
【００１２】
この報知システムＳは、電子腕時計４００と、一又は複数の外部機器とから構成される。ここでは、外部機器として、例えば、スマートフォン１００（外部機器１）及びタブレット端末２００（外部機器２）の二台が示されている。電子腕時計４００は、スマートフォン１００及びタブレット端末２００との間で近距離無線通信、例えば、Bluetooth通信に係る通信接続を同時に維持しながら、それぞれ情報の送受信を行うことが出来る。電子腕時計４００は、バンド（保持部）により本体部分（身体装着型端末本体）を裏蓋７１（カバー部、図４参照）が腕に接触するように装着可能に形成されている。
【００１３】
［第１実施形態］
先ず、本発明の第１実施形態の電子腕時計４００について説明する。
図２は、本実施形態の電子腕時計４００の内部構成を示すブロック図である。
この電子腕時計４００は、ＣＰＵ（Central Processing Unit）４１（振動報知制御手段）と、ＲＯＭ（Read Only Memory）４２と、ＲＡＭ（Random Access Memory）４３と、操作部４４と、表示部４５及びそのドライバ４６と、計時回路４７と、Bluetoothモジュール４８及びそのアンテナＡＮ４と、ＵＡＲＴ（Universal Asynchronous Receiver/Transmitter）４９と、第１振動モータ５０及びそのドライバ５１と、第２振動モータ５２及びそのドライバ５３と、照明部５４及びそのドライバ５５と、ブザー５６及びそのドライバ５７と、バス５８などを備えている。
【００１４】
ＣＰＵ４１は、各種演算処理を行い、電子腕時計４００の全体動作を統轄制御する。ＣＰＵ４１は、ＲＯＭ４２からイベント報知プログラム４２ａを読み出して実行し、外部機器から取得した情報に基づいて各種情報の報知動作を行わせる。
【００１５】
ＲＯＭ４２は、電子腕時計４００の各種処理動作に係る制御プログラムや初期設定データを記憶する。この制御プログラムの中には、イベント報知プログラム４２ａが含まれている。
【００１６】
ＲＡＭ４３は、ＳＲＡＭやＤＲＡＭなどの揮発性メモリであり、ＣＰＵ４１に作業用のメモリ空間を提供すると共に、書き換え更新される各種設定データを記憶する。ＲＡＭ４３には、報知設定記憶部４３ａが含まれる。報知設定記憶部４３ａを含むＲＡＭ４３の一部には、不揮発性メモリが用いられて書き換え可能に保持されても良い。
【００１７】
図３は、報知設定記憶部４３ａの記憶内容を示す図表である。
この報知設定記憶部４３ａには、報知対象の内容（内容種別）に係る分類と振動モータによる報知パターン（振動報知パターン）とが関連付けられてテーブルデータとして記憶、保持されている。この分類としては、例えば、電話着信、Ｅメールの着信、ＳＭＳ（Short Message Service）着信、ニュースの着信、及び、外部機器で設定されたスケジュールの着信が挙げられる。これらに対応して、それぞれ、第１振動モータ５０及び第２振動モータ５２を用いた振動報知パターンが記憶されている。振動報知パターンの具体的な例については、後に詳述する。
【００１８】
この報知設定記憶部４３ａに記憶させる設定内容は、操作部４４からのユーザによる入力操作で設定可能であっても良いし、或いは、外部機器、例えば、スマートフォン１００で設定されたデータテーブルがBluetooth通信により取得されても良い。また、例えば、振動パターンの選択のみが操作部４４の操作により設定変更可能とされても良い。
【００１９】
操作部４４は、例えば、押しボタンスイッチ４４ａ〜４４ｄ（図４参照）を備え、当該押しボタンスイッチの押下動作を検出して電気信号としてＣＰＵ４１に出力する。操作部４４は、押下動作の継続時間に応じた、即ち、通常の押下操作とは別個に長押し状態を検知して、電気信号を出力可能としても良い。また、操作部４４は、りゅうずを備えて、引き出し動作、押し込み動作や回転動作を検出し、検出内容に応じた電気信号を出力可能であっても良い。
【００２０】
表示部４５は、例えば、ドットマトリックス式の液晶表示画面（ＬＣＤ）を備え、ドライバ４６から入力される駆動信号に応じて現在時刻や種々の報知内容に係る文字や図形を表示する。表示画面は、特には限られないが、ここでは、略方形状のものが用いられ、上辺と下辺がそれぞれバンドに接する向きで電子腕時計本体上面（即ち、腕に接する面と反対側）に配置されている。この表示部４５は、他の表示画面、例えば、有機ＥＬ（Electro-Luminescent）ディスプレイを備えても良く、ドライバ４６は、表示画面の構成に応じたものが設けられる。
【００２１】
計時回路４７は、図示略の発振回路から入力される所定の周波数のクロック信号を計数して求められる現在時刻データを保持する。この計時回路４７は、ＣＰＵ４１やＲＴＣ（Real Time Clock）によるソフトウェア的な計時動作に係る時刻情報を保持するものであっても良い。
【００２２】
Bluetoothモジュール４８は、アンテナＡＮ４を介して外部機器とBluetoothによる無線通信を行うための電波信号の送受信に係る変復調などの各種処理を行う。ＵＡＲＴ４９は、Bluetoothモジュール４８により送受信されるデータをＣＰＵ４１から入出力する際にデータ信号をシリアル／パラレル変換する処理を行う。
Bluetoothモジュール４８及びアンテナＡＮ４により無線通信手段が構成される。
【００２３】
第１振動モータ５０及び第２振動モータ５２は、それぞれ、ドライバ５１、５３からの駆動信号に応じた振動を発生させる。これらの第１振動モータ５０及び第２振動モータ５２は、特には限られないが、回転式の振動モータである。この回転式の振動モータは、胴体部と、胴体部から延びる回転軸に取り付けられた分銅とを有する。分銅は、回転軸に対して非対称形状となっており、分銅が回転軸と共に胴体部に対して回転することで振動が発生する。電子腕時計４００における第１振動モータ５０及び第２振動モータ５２の配置や回転動作については、後に詳述する。
【００２４】
照明部５４は、ドライバ５５からの駆動信号に応じて光を出射して表示部４５の表示画面を照明する。この照明部５４としては、表示画面を上側から照明するＬＥＤ（発光ダイオード）や、表示画面のバックライトとして発光する有機ＥＬダイオードが用いられる。
【００２５】
ブザー５６は、ドライバ５７からの駆動信号に応じてブザー音を発生する。このブザー５６としては、例えば、ＰＺＴ（チタン酸ジルコン酸鉛）などのピエゾ素子が用いられる。
【００２６】
バス５８は、ＣＰＵ４１を電子腕時計４００における他の各部と接続し、データのやり取りを行うための回路である。
【００２７】
次に、本実施形態の電子腕時計４００における振動モータの配置及び動作について説明する。
【００２８】
図４は、本実施形態における振動モータの配置を示す図である。この図では、電子腕時計４００を裏蓋７１の側、即ち、ユーザに接触する面側から見た底面図において、裏蓋７１及びケーシング７２の内部に設けられた振動モータ及びバッテリ７５の位置を破線で示している。
【００２９】
この実施形態の電子腕時計４００では、ケーシング７２の中央付近、表示画面に略平行下側にバッテリ７５が設けられている。このバッテリ７５と略同一面内で当該バッテリ７５を挟んで、第１振動モータ５０が１２時の方向（表示画面の上辺側）に設けられ、また、この第１振動モータ５０から離隔して、第２振動モータ５２が６時の方向（表示画面の下辺側）に設けられている。これらの第１振動モータ５０と第２振動モータ５２における分銅５０ａ、５２ａの位置は、ここでは、反対側になるように配置されている。
【００３０】
図５は、本実施形態の電子腕時計４００における振動モータによる振動報知パターンの例について説明する図である。
【００３１】
この電子腕時計４００では、第１振動モータ５０及び第２振動モータ５２の回転有無及び回転動作タイミングの組み合わせにより、５種類の振動報知パターンが設定されている。振動報知パターン１では、図５（ａ）に示すように、第１振動モータ５０のみが断続的に回転動作のオンオフが繰り返され、第２振動モータ５２は、オフ状態が維持される。振動報知パターン２では、図５（ｂ）に示すように、第２振動モータ５２のみが断続的に回転動作のオンオフが繰り返され、第１振動モータ５０は、オフ状態が維持される。振動報知パターン３では、図５（ｃ）に示すように、第１振動モータ５０及び第２振動モータ５２が交互に所定時間ずつ回転オン状態に移行する。振動報知パターン４では、図５（ｄ）に示すように、先ず、第１振動モータ５０のみが所定時間オンされ、次いで、第２振動モータ５２のみが所定時間オンされ、最後に第１振動モータ５０及び第２振動モータ５２の何れもが所定時間オフされる。振動報知パターン５では、図５（ｅ）に示すように、先ず、第２振動モータ５２のみが所定時間オンされ、次に、第１振動モータ５０のみが所定時間オンされ、最後に、第１振動モータ５０及び第２振動モータ５２が何れも所定時間オフされる。
【００３２】
電子腕時計４００では、これらの中から選択された振動報知パターンによる振動モータの回転動作が所定回数（例えば、５回）繰り返されることで、対応する内容に係る報知が行われる。
【００３３】
本実施形態の電子腕時計４００では、外部機器の何れから情報が取得されたかによらず、取得された情報の種別に応じた振動報知パターンで報知動作が行われる。報知システムＳでは、外部機器から電子腕時計４００に送信される報知情報に係る通信データは、所定のフォーマットで送受信される。この所定のフォーマットとしては、ここでは、内容の分類種別と、所定文字数以内の表示文字列（メッセージ）とが組み合わされたものが定められている。また、表示部４５の画素数といった表示能力に応じて、表示文字列を英数字及びカタカナなどに制限することが出来る。
【００３４】
図６は、本実施形態の電子腕時計４００において実行されるメッセージ受信処理のＣＰＵ４１による制御手順を示すフローチャートである。
【００３５】
このメッセージ受信処理は、スマートフォン１００やタブレット端末２００といった外部機器からBluetooth通信により報知情報に係る通信データが受信された場合に呼び出されて開始される。メッセージ受信処理が開始されると、ＣＰＵ４１は、先ず、受信した通信データから分類とメッセージとをそれぞれ取得する（ステップＳ４０１）（報知情報取得ステップ）。ＣＰＵ４１は、ドライバ４６に制御信号を送り、取得されたメッセージを表示部４５の表示画面に表示させる（ステップＳ４０２）。ＣＰＵ４１は、メッセージが表示画面に入りきらない場合には、スクロール表示を行わせたり、複数のブロックに分割して所定時間ずつ表示させたりすることが出来る。
【００３６】
次に、ＣＰＵ４１は、メッセージ内容の分類が電話着信であるか否かを判別する（ステップＳ４０３）。電話着信であると判別された場合には（ステップＳ４０３で“ＹＥＳ”）、ＣＰＵ４１は、ドライバ５１に制御信号を送り、第１振動モータ５０を振動報知パターン１で動作させる（ステップＳ４０４）。そして、メッセージ受信処理を終了する。
【００３７】
メッセージ内容の分類が電話着信ではないと判別された場合には（ステップＳ４０３で“ＮＯ”）、ＣＰＵ４１は、メッセージ内容の分類がＥメール着信であるか否かを判別する（ステップＳ４０５）。Ｅメール着信であると判別された場合には（ステップＳ４０５で“ＹＥＳ”）、ＣＰＵ４１は、ドライバ５３に制御信号を送り、第２振動モータ５２を振動報知パターン２で動作させる（ステップＳ４０６）。そして、メッセージ受信処理を終了する。
【００３８】
メッセージ内容の分類がＥメール着信ではないと判別された場合には（ステップＳ４０５で“ＮＯ”）、ＣＰＵ４１は、メッセージ内容の分類がＳＭＳ着信であるか否かを判別する（ステップＳ４０７）。ＳＭＳ着信であると判別された場合には（ステップＳ４０７で“ＹＥＳ”）、ＣＰＵ４１は、ドライバ５１、５３に制御信号を送り、第１振動モータ５０及び第２振動モータ５２を振動報知パターン３で動作させる（ステップＳ４０８）。そして、メッセージ受信処理を終了する。
【００３９】
メッセージ内容の分類がＳＭＳ着信ではないと判別された場合には（ステップＳ４０７で“ＮＯ”）、ＣＰＵ４１は、メッセージ内容の分類がニュース着信であるか否かを判別する（ステップＳ４０９）。ニュース着信であると判別された場合には（ステップＳ４０９で“ＹＥＳ”）、ＣＰＵ４１は、ドライバ５１、５３に制御信号を送り、第１振動モータ５０及び第２振動モータ５２を振動報知パターン４で動作させる（ステップＳ４１０）。そして、メッセージ受信処理を終了する。
【００４０】
メッセージ内容の分類がニュース着信ではないと判別された場合には（ステップＳ４０９で“ＮＯ”）、メッセージ内容の分類がスケジュール受信ということになり、ＣＰＵ４１は、ドライバ５１、５３に制御信号を送り、第１振動モータ５０及び第２振動モータ５２を振動報知パターン５で動作させる（ステップＳ４１１）。そして、メッセージ受信処理を終了する。
【００４１】
以上のように、本実施形態の電子腕時計４００は、互いに離隔して設けられた第１振動モータ５０及び第２振動モータ５２と、外部機器と無線通信を行うためのBluetoothモジュール４８及びアンテナＡＮ４とを備える。そして、この電子腕時計４００では、外部機器から報知情報が取得されると、当該報知情報の内容に基づいて分類がなされ、当該分類に応じて選択された振動モータが動作される。従って、一のモータの振動パターンで分類を知得する必要がある場合と比較して、より体感的に容易に何れの分類に係る報知がなされたのかをユーザが認識することが出来る。
【００４２】
また、第１振動モータ５０及び第２振動モータ５２の動作を適宜なタイミングで設定して動作させるので、振動源の相対的な位置変化に基づいて、更に体感的に振動パターンを知得することが出来る。
【００４３】
また、特に、報知情報の内容に基づく分類により異なる振動報知パターンでの報知が行われるので、振動による報知動作だけでその報知に係る情報をユーザがすぐに確認する必要のあるものであるか否かを判別することが出来る。従って、表示の確認や音声報知を行い難い会議中や移動中などの状況で、本当に確認の必要な分類に係る事項のみを容易に認識することが出来る。
【００４４】
［変形例１、２、３］
図７には、本実施形態の電子腕時計４００における振動モータの配置の変形例１〜３を示す。
図７（ａ）に示すように、変形例１として、第１振動モータ５０と第２振動モータ５２がそれぞれ３時方向と９時方向（表示画面の左方と右方）に設けられていても良い。
或いは、変形例２、３として、図７（ｂ）、（ｃ）に示すように、第１振動モータ５０と第２振動モータ５２は、互いに９０度をなすように１２時方向と９時方向、或いは、３時方向と６時方向にそれぞれ配置されていても良い。特に、回転式振動モータの場合には、このような配置とすることで、第１振動モータ５０と第２振動モータ５２の回転に係る振動方向を異なるものとすることが出来る。
なお、本明細書では、裏蓋７１の横波振動に関し、振動モータの回転方向に伴う振動の伝播方向、及び、振動モータの配置に伴う強い振動の延在する方向について、まとめて振動の方向と表す。
【００４５】
この変形例の電子腕時計４００のように、振動方向が互いに異なるように第１振動モータ５０と第２振動モータ５２とを配置することで、複数の振動モータの何れによる振動かをより容易に体感して知得することが出来る。
ここで、第１振動モータ５０と第２振動モータ５２との間の距離（所定の距離）は、上記実施の形態及び変形例に限られず、振動モータのサイズ、種別及び振動の方向と、電子腕時計４００のサイズとに応じて適宜設定可能であるが、ユーザがより容易に識別可能なように、可能な範囲で大きい距離を取ることがより好ましい。
【００４６】
［変形例４、５、６］
図８には、本実施形態の電子腕時計４００の変形例４〜６を示す。
図８（ａ）に示すように、変形例４として、電子腕時計４００の裏蓋７１は、第１振動モータ５０のある１２時側半分を覆う裏蓋上部７１ａと、第２振動モータ５２のある６時側半分を覆う裏蓋下部７１ｂとに分割されて、中央で接合されている構成であっても良い。このような構成により、一方の振動モータに係る振動が他方の振動モータに対応する側の裏蓋に伝わりにくくすることが出来る。このとき、更に、第１振動モータ５０の振動が裏蓋上部７１ａに伝わりやすく、また、第２振動モータ５２の振動が裏蓋下部７１ｂに伝わりやすいように、ケーシング７２内部のフレーム形状を定める（例えば、分離する）ことが出来る。
これら裏蓋上部７１ａと裏蓋下部７１ｂによりカバー部材が構成される。
【００４７】
また、図８（ｂ）に示すように、変形例５として、裏蓋上部７１ａと裏蓋下部７１ｂとの間には、緩衝部材７１ｃを挟む構成としても良い。この緩衝部材７１ｃとしては、一方の側の裏蓋における振動を吸収する部材（弾性部材）が好ましく、例えば、シリコンゴムなどの各種ゴム製部材といった周知の材料が用いられる。
【００４８】
また、図８（ｃ）に示すように、変形例６として、裏蓋７１ｄには、第１振動モータ５０、第２振動モータ５２に対応する位置にそれぞれ突起部７１０、７１１が設けられている。突起部７１０、７１１は、ユーザの腕に不快感を与えない範囲で確実に当該部分が接触する形状、例えば、緩やかな曲面形状に形成される。また、これらの突起部７１０、７１１は、裏蓋７１ｄの本体と同一の材質でも良いし、第１振動モータ５０及び第２振動モータ５２により生じる振動が確実に伝わる限りにおいて異なる材質であっても良い。また、図８（ｂ）の変形例と同様に突起部７１０、７１１と裏蓋７１ｄの本体部とは、緩衝部材を介して接合されていても良い。
【００４９】
このように、裏蓋７１、７１ｄは、振動をユーザに伝達するのに用いられる。このとき裏蓋上部７１ａと裏蓋下部７１ｂとを第１振動モータ５０及び第２振動モータ５２にそれぞれ対応して分割し、対応する振動モータの振動に応じてより明確に振動するように構成することで、各振動モータの配置に応じた振動をより的確にユーザに報知することが出来る。
【００５０】
また、特に、第１振動モータ５０に対応する裏蓋上部７１ａと第２振動モータ５２に対応する裏蓋下部７１ｂとが緩衝部材７１ｃを介して接合されることで、一方の振動モータから他方の振動モータに対応する裏蓋に伝達する振動を低減させる。これにより、より明確に何れの振動モータによる報知動作であるかをユーザが知得することが出来る。
【００５１】
また、裏蓋７１ｄに突起部７１０、７１１を設けてユーザに特に接する形状とし、当該突起部７１０、７１１を第１振動モータ５０と第２振動モータ５２に各々対応させて振動させることで、同様に、何れの振動モータによる報知動作であるかをユーザが明確に知得することが出来る。
【００５２】
［変形例７、８］
図９には、本実施形態の電子腕時計４００の他の変形例７、８を示す。
変形例７として、図９（ａ）に示すように、電子腕時計４００のケーシング７２ｅ及び裏蓋７１ｅの形は、図４などで示した単純な円形状のものに限られない。例えば、ケーシング７２ｅ及び裏蓋７１ｅは、第１振動モータ５０に対応する領域と第２振動モータ５２に対応する領域との間にくびれ部分が設けられていても良い。この場合、例えば、表示部４５の表示画面は、２つに分割されていても良いし、ケーシング７２ｅの形状に沿った形状や、ケーシング７２ｅの内部に設けることが可能なサイズの長方形状であっても良い。
【００５３】
また、変形例８として、図９（ｂ）に示すように、振動モータは、ケーシングの内部に限られず、少なくとも一方がバンド７３ａ、７３ｂに設けられていても良い。この場合、バンド７３ａ、７３ｂの厚みを考慮して、例えば、ピエゾ素子を用いた平面状の第１振動モータ５０ｂ及び第２振動モータ５２ｂを用いることが出来る。
【００５４】
図１０、図１１には、第１振動モータ５０と第２振動モータ５２の他の振動報知パターンの例を示す。
【００５５】
図１０に示すように、ドライバ５１、５３は、ＣＰＵ４１からの制御信号に基づいて、第１振動モータ５０及び第２振動モータ５２をそれぞれ低速回転と高速回転の異なる２段階の速さで回転動作させる構成とすることが出来る。回転速度の高低は、発生する振動の周波数としてユーザに知得される。
【００５６】
この場合、例えば、振動報知パターン１では、図１０（ａ）に示すように、第１振動モータ５０のみが断続的に低速回転される。また、振動報知パターン２では、図１０（ｂ）に示すように、第２振動モータ５２のみが断続的に低速回転される。また、振動報知パターン３では、図１０（ｃ）に示すように、第１振動モータ５０と第２振動モータ５２とが交互に低速回転される。また、振動報知パターン４では、図１０（ｄ）に示したように、先ず、第１振動モータ５０が所定時間高速回転され、続いて、第２振動モータ５２のみが所定時間低速回転され、最後に、第１振動モータ５０及び第２振動モータ５２の回転動作が所定時間オフされる。また、振動報知パターン５では、図１０（ｅ）に示したように、先ず、第２振動モータ５２が所定時間高速回転され、続いて、第１振動モータ５０のみが所定時間低速回転され、最後に、第１振動モータ５０及び第２振動モータ５２の回転動作が所定時間オフされる。
【００５７】
一方、図１１に示すように、ドライバ５１、５３は、ＣＰＵ４１からの制御信号に基づいて、第１振動モータ５０及び第２振動モータ５２をそれぞれ正転方向又は逆転方向の何れかの回転方向へ選択的に回転動作させることが出来る構成とすることが出来る。回転方向は、裏蓋７１における振動の伝播方向としてユーザに知得される。
【００５８】
この場合、例えば、振動報知パターン１では、図１１（ａ）に示すように、第１振動モータ５０のみが断続的に正転方向に回転される。また、振動報知パターン２では、図１１（ｂ）に示すように、第２振動モータ５２のみが断続的に正転方向に回転される。また、振動報知パターン３では、図１１（ｃ）に示すように、第１振動モータ５０及び第２振動モータ５２が同期して断続的に、第１振動モータ５０が正転方向に、第２振動モータ５２が逆転方向にそれぞれ回転される。また、振動報知パターン４では、図１１（ｄ）に示したように、先ず、第１振動モータ５０が所定時間正転方向に回転され、続いて、第２振動モータ５２のみが所定時間逆転方向に回転され、最後に、第１振動モータ５０及び第２振動モータ５２の回転動作が所定時間オフされる。また、振動報知パターン５では、図１１（ｅ）に示したように、先ず、第２振動モータ５２が所定時間逆転方向に回転され、続いて、第１振動モータ５０のみが所定時間正転方向に回転され、最後に、第１振動モータ５０及び第２振動モータ５２の回転動作が所定時間オフされる。
【００５９】
これらのように、単に２つの振動モータを一の振動パターンで動作させるだけではなく、複数の異なる振動パターンで動作させてそれらを組み合わせることで、ユーザは、より明確且つ速やかに当該２つの振動モータによる報知動作のパターン認識を行うことが出来るようになる。
【００６０】
また、少なくとも一方の振動モータが電子腕時計４００を保持するバンドに設けられることで、第１振動モータ５０と第２振動モータ５２の配置を更に離隔させることが出来、従って、より明確に何れの振動モータの動作であるかをユーザが知得することが出来る。また、バンドに設ける振動モータとしてピエゾ素子を用いるなどにより、振動の伝わり方を異ならせることが出来るので、振動と報知内容とがより体感的に明確に対応付けられてユーザに知得される。
【００６１】
［第２実施形態］
次に、第２実施形態の電子腕時計について説明する。
この第２実施形態の電子腕時計４００は、報知設定記憶部４３ａの設定内容及びイベント報知プログラム４２ａに係るメッセージ受信処理の内容が異なる点を除き、第１実施形態の電子腕時計４００と同一であり、その内部構成については説明を省略する。
【００６２】
次に、この実施形態の電子腕時計４００におけるメッセージ受信に係る動作について説明する。
図１２は、本実施形態の電子腕時計４００における報知設定記憶部４３ａの記憶内容を示す図表である。
【００６３】
この電子腕時計４００では、メッセージ内容の分類だけではなく、送信元の外部機器に応じたパターンで第１振動モータ５０と第２振動モータ５２とを動作させる。即ち、この電子腕時計４００では、スマートフォン１００からの着信の場合には、受信内容の分類に応じて振動報知パターン１又は２の動作が行われ、タブレット端末２００からの着信の場合には、受信内容の分類に応じて振動報知パターン４又は５の動作が行われる。
なお、ここでは、メッセージ内容に係る分類として電話受信とＥメール受信のみについて説明するが、他の分類が含まれても良く、分類の数に応じた振動報知パターンが設定される。
【００６４】
図１３は、本実施形態の電子腕時計４００において実行されるメッセージ受信処理のＣＰＵ４１による制御手順を示すフローチャートである。
このメッセージ受信処理は、第１実施形態の電子腕時計４００において実行されるメッセージ受信処理におけるステップＳ４０３以降の処理が変更されている。同一の処理内容については同一の符号を付して詳しい説明を省略する。
【００６５】
メッセージ受信処理が開始され、表示画面にメッセージの表示が行われると（ステップＳ４０２）、ＣＰＵ４１は、メッセージの送信元のデバイスが外部機器１（ここでは、スマートフォン１００）であるか否かを判別する（ステップＳ４２１）。外部機器１であると判別された場合には（ステップＳ４２１で“ＹＥＳ”）、ＣＰＵ４１は、メッセージ分類が電話着信であるか否かを判別する（ステップＳ４０３ａ）。電話着信であると判別された場合には（ステップＳ４０３ａで“ＹＥＳ”）、ＣＰＵ４１は、ドライバ５１に制御信号を送り、振動報知パターン１で第１振動モータ５０を動作させる（ステップＳ４０４）。そして、ＣＰＵ４１は、メッセージ受信処理を終了する。
【００６６】
電話着信ではないと判別された場合には（ステップＳ４０３ａで“ＮＯ”）、ここでは、Ｅメールの着信と判断されて、ＣＰＵ４１は、ドライバ５３に制御信号を送り、振動報知パターン２で第２振動モータ５２を動作させる（ステップＳ４０６）。そして、ＣＰＵ４１は、メッセージ受信処理を終了する。
【００６７】
ステップＳ４２１の判別処理で、送信元のデバイスが外部機器１ではないと判別された場合、即ち、送信元が外部機器２（ここでは、タブレット端末２００）である場合には（ステップＳ４２１で“ＮＯ”）、ＣＰＵ４１は、メッセージ分類が電話着信であるか否かを判別する（ステップＳ４０３ｂ）。電話着信ではあると判別された場合には（ステップＳ４０３ｂで“ＹＥＳ”）、ＣＰＵ４１は、ドライバ５１、５３に制御信号を送り、振動報知パターン４で第１振動モータ５０及び第２振動モータ５２を動作させる（ステップＳ４１０）。そして、ＣＰＵ４１は、メッセージ受信処理を終了する。
【００６８】
電話着信ではないと判別された場合には（ステップＳ４０３ｂで“ＮＯ”）、ここでは、Ｅメールの着信と判断されて、ＣＰＵ４１は、ドライバ５１、５３に制御信号を送り、振動報知パターン５で第１振動モータ５０及び第２振動モータ５２を動作させる（ステップＳ４１１）。そして、ＣＰＵ４１は、メッセージ受信処理を終了する。
【００６９】
以上のように、第２実施形態の電子腕時計４００は、メッセージ送信元の外部機器と受信メッセージの内容分類とに基づいて第１振動モータ５０及び第２振動モータ５２の２つを用いた報知動作に係る振動報知パターンを異ならせる。従って、すぐに応対が必要な外部機器への着信と必ずしも即座に応対する必要が無い外部機器への着信とを容易に判別することが出来る。
【００７０】
また、本実施形態の電子腕時計４００は、Bluetoothモジュール４８により複数の外部機器と同時に通信状態を維持することが出来るので、このように複数の外部機器の何れからも着信に係る報知情報を受信し得る場合でも、容易にどの外部機器への着信であるのかを知得することが出来る。
【００７１】
［第３実施形態］
次に、第３実施形態の電子腕時計について説明する。
図１４は、第３実施形態の電子腕時計４００ｃの内部構成を説明するブロック図である。
【００７２】
この第３実施形態の電子腕時計４００ｃは、第３振動モータ６０及びそのドライバ６１が追加されており、また、報知設定記憶部４３ａへの記憶内容及びイベント報知プログラム４２ａに係るメッセージ受信処理の内容が異なる点を除き、第１実施形態の電子腕時計４００と同一の構成であり、同一の構成要素については同一の符号を付して説明を省略する。
【００７３】
図１５は、電子腕時計４００ｃにおける振動モータの内部配置を説明するための図である。この図では、図４と同様に、電子腕時計４００ｃを裏面側から見た底面図においてケーシング７２及び裏蓋７１の内部に設けられた振動モータの位置及びバッテリ７５の位置が破線で描かれている。
【００７４】
本実施形態の電子腕時計４００ｃは、３つの振動モータを備えている。そして、図１５（ａ）に示すように、第１実施形態の電子腕時計４００で設けられていた第１振動モータ５０及び第２振動モータ５２に加えて、第３振動モータ６０が３時の方向（表示画面の右方）に設けられて、第１振動モータ５０と第２振動モータ５２とに対して９０度の角度をなすように配置されている。
【００７５】
また、図１５（ｂ）に示すように、図７（ａ）の変形例で示した第１振動モータ５０及び第２振動モータ５２に加えて、第３振動モータ６０が６時方向（表示画面の下方）に設けられ、第１振動モータ５０及び第２振動モータ５２と９０度の角度をなすように配置される構成とすることも出来る。
【００７６】
また、図１５（ｃ）に示すように、本実施形態の電子腕時計４００ｃにおける振動モータの配置として、第１振動モータ５０が３時方向に配置され、第２振動モータ５２が７時方向に配置され、また、第３振動モータ６０が１１時方向に配置されることで、互いに１２０度間隔で設けられることとしても良い。
【００７７】
次に、この実施形態の電子腕時計４００ｃにおけるメッセージ受信に係る動作について説明する。
図１６は、本実施形態の電子腕時計４００ｃにおける報知設定記憶部４３ａの記憶内容を示す図表である。
【００７８】
この電子腕時計４００ｃでは、メッセージ内容の分類に関わらず、送信元の外部機器（外部機器の種別）に応じて異なるパターンで第１振動モータ５０、第２振動モータ５２、第３振動モータ６０の中から選択されたものを動作させる。ここでは、３台の外部機器に対し、３個の振動モータがそれぞれ１対１で対応するように設定されている。３台目の外部機器（外部機器３）としては、例えば、携帯電話機が挙げられる。更に４台目以降の外部機器が接続され、当該外部機器に対して振動報知が設定される場合には、２個以上の振動モータの動作の組み合わせで表された振動報知パターンが設定される。
【００７９】
図１７には、本実施形態の電子腕時計４００ｃにおける３つの振動モータによる振動報知パターンを示している。
【００８０】
上述のように、振動報知パターン１では、第１振動モータ５０のみが断続的にオンオフを切り替えられて動作する（図１７（ａ））。また、振動報知パターン２では、第２振動モータ５２のみが断続的にオンオフを切り替えられて動作する（図１７（ｂ））。また、振動報知パターン３では、第３振動モータ６０のみが断続的にオンオフを切り替えられて動作する（図１７（ｃ））。
【００８１】
４台目以降の外部機器が設定された場合には、振動報知パターン４として、例えば、図１７（ｄ）に示すように、先ず、第１振動モータ５０が所定時間オンされて回転動作し、次いで、第２振動モータ５２のみが所定時間オンされて回転動作し、その後、第３振動モータ６０のみが所定時間オンされて回転動作し、最後に、第１振動モータ５０、第２振動モータ５２、及び第３振動モータ６０の全てが所定時間オフされる。また、振動報知パターン５として、例えば、図１７（ｅ）に示すように、先ず、第３振動モータ６０が所定時間オンされて回転動作し、次いで、第２振動モータ５２のみが所定時間オンされて回転動作し、その後、第１振動モータ５０のみが所定時間オンされて回転動作し、最後に、第１振動モータ５０、第２振動モータ５２及び第３振動モータ６０の全てが所定時間オフされる。
【００８２】
図１８は、本実施形態の電子腕時計４００ｃにより実行されるメッセージ受信処理のＣＰＵ４１による制御手順を示すフローチャートである。
このメッセージ受信処理は、第２実施形態の電子腕時計４００により実行されるメッセージ受信処理におけるステップＳ４２１の判別処理で“ＮＯ”に分岐した後の処理が変更されている。同一の内容の処理については、同一の符号を付して詳しい説明を省略する。
【００８３】
ステップＳ４２１の処理で送信元が外部機器１（スマートフォン１００）ではないと判別された場合には（ステップＳ４２１で“ＮＯ”）、次に、ＣＰＵ４１は、送信元が外部機器２（タブレット端末２００）であるか否かを判別する（ステップＳ４２３）。
【００８４】
外部機器２であると判別された場合には（ステップＳ４２３で“ＹＥＳ”）、ＣＰＵ４１は、ドライバ５３に制御信号を送り、振動報知パターン２で第２振動モータ５２を動作させる（ステップＳ４０６）。そして、ＣＰＵ４１は、メッセージ受信処理を終了する。
【００８５】
外部機器２ではないと判別された場合には（ステップＳ４２３で“ＮＯ”）、送信元が外部機器３であると判断されて、ＣＰＵ４１は、ドライバ６１に制御信号を送り、振動報知パターン３で第３振動モータ６０を動作させる（ステップＳ４０８ｃ）。そして、ＣＰＵ４１は、メッセージ受信処理を終了する。
【００８６】
なお、４台目以降の外部機器が設定された場合には、ステップＳ４２３の判別処理で“ＮＯ”に分岐した後、更に、送信元が当該４台目以降の外部機器であるか否かを順番に判別して、該当する場合には、当該外部機器に対応する振動報知パターンでの報知動作を行わせる処理を追加すれば良い。
【００８７】
以上のように、第３実施形態の電子腕時計４００ｃは、互いに所定の距離を離して設けられた第１振動モータ５０、第２振動モータ５２及び第３振動モータ６０を備える。そして、これら３つの振動モータの中から報知情報に係る分類に応じて選択された組み合わせで動作される。従って、体感的により分かりやすく、且つ、より多くのバリエーションで振動による報知動作を行うことが出来る。
【００８８】
［第４実施形態］
次に、第４実施形態の電子腕時計について説明する。
図１９は、第４実施形態の電子腕時計４００ｄの内部構成を説明するブロック図である。
【００８９】
この第４実施形態の電子腕時計４００ｄは、第４振動モータ６２及びそのドライバ６３が追加されており、また、報知設定記憶部４３ａへの記憶内容及びイベント報知プログラム４２ａに係るメッセージ受信処理の内容が異なる点を除き、第３実施形態の電子腕時計４００ｃと同一の構成であり、同一の構成要素については同一の符号を付して説明を省略する。
【００９０】
図２０は、電子腕時計４００ｄにおける振動モータの配置を示す図である。この図では、図４と同様に、電子腕時計４００ｄを裏面側から見た底面図においてケーシング７２及び裏蓋７１の内部に設けられた振動モータの位置及びバッテリ７５の位置が破線で描かれている。
【００９１】
本実施形態の電子腕時計４００ｄは、４つの振動モータを備えている。第１振動モータ５０、第２振動モータ５２、第３振動モータ６０及び第４振動モータ６２は、それぞれ１２時、３時、６時、９時の方向（それぞれ、表示画面の上辺側、右辺側、下辺側及び左辺側）に９０度間隔で配置されている。
【００９２】
次に、この実施形態の電子腕時計４００ｄにおけるメッセージ受信に係る動作について説明する。
図２１は、本実施形態の電子腕時計４００ｄにおける報知設定記憶部４３ａの記憶内容を示す図表である。
【００９３】
この電子腕時計４００ｄでは、メッセージ内容の分類に応じて送信元の外部機器ごとに異なる振動報知パターンで報知動作を行わせるものと、送信元の外部機器によらず共通の振動報知パターンで報知動作を行わせるものとがある。この報知設定記憶部４３ａでは、メッセージ分類が電話着信の場合とＥメール着信の場合には、外部機器ごとに異なる振動報知パターンで報知動作が行われ、メッセージ分類がスケジュール着信の場合には、送信元の外部機器によらず共通の振動報知パターンで報知動作が行われる設定がなされている。
【００９４】
図２２には、本実施形態の電子腕時計４００ｄにおける４つの振動モータによる振動報知パターンを示している。
【００９５】
図２２（ａ）に示すように、振動報知パターン１では、第１振動モータ５０のみが断続的にオンオフが切り替えられて動作する。また、図２２（ｂ）に示すように、振動報知パターン２では、第２振動モータ５２のみが断続的にオンオフが切り替えられて動作する。
【００９６】
図２２（ｃ）に示すように、振動報知パターン３では、第１振動モータ５０と第３振動モータ６０とが交互にオンされて動作する。
【００９７】
図２２（ｄ）に示すように、振動報知パターン４では、先ず、第１振動モータ５０が所定時間オンされて回転動作し、次いで、第２振動モータ５２のみが所定時間オンされて回転動作し、その後、第３振動モータ６０のみが所定時間オンされて回転動作し、最後に、第４振動モータ６２のみが所定時間オンされて回転動作する。また、図２２（ｅ）に示すように、振動報知パターン５では、先ず、第４振動モータ６２が所定時間オンされて回転動作し、次いで、第３振動モータ６０のみが所定時間オンされて回転動作し、その後、第２振動モータ５２のみが所定時間オンされて回転動作し、最後に、第１振動モータ５０のみが所定時間オンされて回転動作する。
【００９８】
図２３は、本実施形態の電子腕時計４００ｄにより実行されるメッセージ受信処理のＣＰＵ４１による制御手順を説明するフローチャートである。
このメッセージ受信処理は、第１実施形態の電子腕時計４００により実行されるメッセージ受信処理におけるステップＳ４０３の判別処理で“ＹＥＳ”に分岐した後の処理、及び、ステップＳ４０５の処理より後の処理が変更されている。同一の内容の処理については、同一の符号を付して詳しい説明を省略する。
【００９９】
ステップＳ４０３の判別処理でメッセージ内容の分類が電話着信であると判別された場合には（ステップＳ４０３で“ＹＥＳ”）、次に、ＣＰＵ４１は、送信元が外部機器１（スマートフォン１００）であるか否かを判別する（ステップＳ４２１ａ）。送信元が外部機器１であると判別された場合には（ステップＳ４２１ａで“ＹＥＳ”）、ＣＰＵ４１は、ドライバ５１に制御信号を出力し、第１振動モータ５０を振動報知パターン１で動作させる（ステップＳ４０４）。そして、メッセージ受信処理を終了する。
【０１００】
送信元が外部機器１ではないと判別された場合には（ステップＳ４２１ａで“ＮＯ”）、送信元が外部機器２ということになり、ＣＰＵ４１は、ドライバ５３に制御信号を出力して第２振動モータ５２を振動報知パターン２で動作させる（ステップＳ４０６）。そして、メッセージ受信処理を終了する。
【０１０１】
ステップＳ４０５の判別処理でメッセージ内容の分類がＥメール着信であると判別された場合には（ステップＳ４０５で“ＹＥＳ”）、次に、ＣＰＵ４１は、送信元が外部機器１（スマートフォン１００）であるか否かを判別する（ステップＳ４２１ｂ）。送信元が外部機器１であると判別された場合には（ステップＳ４２１ｂで“ＹＥＳ”）、ＣＰＵ４１は、ドライバ５１、５３、６１、６３に制御信号を出力し、第１振動モータ５０、第２振動モータ５２、第３振動モータ６０及び第４振動モータ６２を振動報知パターン４で動作させる（ステップＳ４１０ｄ）。そして、メッセージ受信処理を終了する。
【０１０２】
送信元が外部機器１ではないと判別された場合には（ステップＳ４２１ｂで“ＮＯ”）、送信元が外部機器２ということになり、ＣＰＵ４１は、ドライバ５１、５３、６１、６３に制御信号を出力して第１振動モータ５０、第２振動モータ５２、第３振動モータ６０及び第４振動モータ６２を振動報知パターン５で動作させる（ステップＳ４１１ｄ）。そして、メッセージ受信処理を終了する。
【０１０３】
ステップＳ４０５の判別処理でメッセージ内容の分類がＥメール着信ではないと判別された場合には（ステップＳ４０５で“ＮＯ”）、メッセージ内容の分類がスケジュール着信ということになり、ＣＰＵ４１は、ドライバ５１、６１に制御信号を出力して第１振動モータ５０及び第３振動モータ６０を振動報知パターン３で動作させる（ステップＳ４０８ｄ）。そして、メッセージ受信処理を終了する。
【０１０４】
以上のように、第４実施形態の電子腕時計４００ｄは、互いに９０度ずつ離して設けられた第１振動モータ５０、第２振動モータ５２、第３振動モータ６０及び第４振動モータ６２を備える。そして、報知内容や報知情報の送信先に係る分類に応じてこれら４つの振動モータから選択されたものを動作させて振動による報知動作を行う。従って、分類数が多いような場合にも無理なくユーザが体感的に知得可能な振動パターンで報知動作を行わせることが出来る。
【０１０５】
なお、本発明は、上記実施の形態に限られるものではなく、様々な変更が可能である。
例えば、上記実施の形態では、表示内容に係る分類は、着信手段に応じて分類したが、更に、着信の相手先、即ち、電話着信やＳＭＳ着信における電話番号やＥメール着信における送信者（情報の発信者）に応じて分類することとしても良い。
【０１０６】
また、上記実施の形態では、異なる振動報知パターンに対し、同一の振動モータを利用した異なる振動タイミングのもの（例えば、図２２の（ｄ）、（ｅ））を含むこととしたが、振動モータの数が必要な振動報知パターン数に対して必要な数以上の場合には、振動モータの組み合わせだけで全ての振動報知パターンを設定することが出来る。例えば、４個の振動モータを利用する２つの振動報知パターンの代わりに、一方を２個の振動モータの動作で示す設定とすることが出来る。
【０１０７】
また、上記実施の形態では、複数の外部機器からの報知内容の着信を前提として説明したが、単一の外部機器から報知内容が取得される場合であっても、同様に、報知内容に応じた分類ごとに異なる振動報知パターンで複数のモータによる報知動作を行わせることが出来る。
【０１０８】
また、上記実施の形態では、内容分類と送信元の外部機器とに基づいて機械的に振動モータの振動報知パターンと対応付けて報知動作を行わせることとしたが、振動報知パターンに意味を持たせても良い。例えば、４つの振動モータの動作個数を重要度と対応させることが出来る。そして、例えば、勤務先の携帯電話への電話着信が有った場合に、この４つの振動モータの動作を行わせ、勤務先の携帯電話へのＥメール着信が有った場合には、３つの振動モータの動作を行わせ、スマートフォンに私用の電話着信が有った場合には、他の３つの振動モータの動作を行わせる、というような設定を行わせることも出来る。
【０１０９】
また、上記実施の形態では、Bluetooth通信を用いた近距離無線通信を例に挙げて説明したが、通信手段は、これに限られない。無線ＬＡＮやその他の通信手段を用いても良く、この通信手段は、近距離に限らず、中長距離の伝播が可能なものであっても良い。
【０１１０】
また、上記実施の形態では、電子腕時計により受信される情報に分類に係る情報が含まれているものとしたが、必ずしも含まれていなくても良い。メッセージ中に含まれる特定の用語、例えば、「デンワ」、「ＴＥＬ」、「メール」、「ＳＭＳ」などを抽出して分類することとしても良い。この場合、これらの用語が特に文頭に現れたり、日時に続いて現れたりするなど、出現場所が定まっている場合には、当該箇所のみを確認する処理を行えば良い。
【０１１１】
また、上記実施の形態では、メッセージの表示動作と共に振動報知に係る動作が行われることとしたが、この形態に限られない。例えば、加速度センサを備えた電子腕時計において、電子腕時計の表示画面がユーザに視認される姿勢に変化する動作を検出してから表示を行わせることも出来る。或いは、ユーザが所定のボタン操作を行ったのを検出してから表示画面にメッセージを表示させても良い。
【０１１２】
また、上記実施の形態では、電子腕時計を例に挙げて説明したが、身体の予め定められた箇所に所定の方向で装着されて用いられる電子端末であれば、他のものでも良い。手首に装着されるものとしては、例えば、電子歩数計が挙げられる。また、上腕部、胸部や腰部に装着される血圧計や放射線量計などであっても良い。
その他、上記実施の形態で示した構成、回路や処理手順などの具体的な細部は、本発明の趣旨を逸脱しない範囲において、適宜変更可能である。
【０１１３】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【０１１４】
［付記］
＜請求項１＞
所定の距離を離して設けられた複数の振動モータと、
外部機器と無線通信を行うための無線通信手段と、
ユーザに対して報知する情報が前記無線通信手段により取得された場合に、予め設定された分類に応じて選択された前記複数の振動モータのうちの一部又は全部を動作させる振動報知制御手段と
を備えることを特徴とする身体装着型端末。
＜請求項２＞
前記分類に応じた前記振動モータの動作には、２つ以上の前記振動モータを所定の動作タイミングでそれぞれ動作させる場合を含むことを特徴とする請求項１記載の身体装着型端末。
＜請求項３＞
前記分類は、情報の内容種別、前記外部機器の種別、及び、情報の発信者のうち少なくとも一つに基づいて設定されることを特徴とする請求項１又は２記載の身体装着型端末。
＜請求項４＞
前記無線通信手段は、複数の前記外部機器と同時に通信接続状態を維持することが可能であることを特徴とする請求項１〜３の何れか一項に記載の身体装着型端末。
＜請求項５＞
前記複数の振動モータのうち、少なくとも二つは、互いに異なる振動方向の振動が出力されるように設けられていることを特徴とする請求項１〜４の何れか一項に記載の身体装着型端末。
＜請求項６＞
身体装着型端末本体と、
当該身体装着型端末をユーザの身体に固定するための保持部と、
を備え、
前記複数の振動モータのうち、少なくとも一つは、前記保持部に設けられている
ことを特徴とする請求項１〜５の何れか一項に記載の身体装着型端末。
＜請求項７＞
ユーザと接触し、前記振動モータの振動をユーザに伝えるカバー部を有し、
前記カバー部は、前記複数の振動モータにそれぞれ対応して設けられた複数のカバー部材が接合されて形成されている
ことを特徴とする請求項１〜６の何れか一項に記載の身体装着型端末。
＜請求項８＞
前記複数のカバー部材は、所定の緩衝部材を介して接合されていることを特徴とする請求項７記載の身体装着型端末。
＜請求項９＞
ユーザと接触し、前記振動モータの振動をユーザに伝えるカバー部を有し、
前記カバー部には、前記複数の振動モータにそれぞれ対応して振動を伝達する複数の突起部が形成されている
ことを特徴とする請求項１〜８の何れか一項に記載の身体装着型端末。
＜請求項１０＞
所定の距離を離して設けられた複数の振動モータと、外部機器と無線通信を行うための無線通信手段と、を備えた身体装着型端末によるユーザへの報知方法であって、
ユーザに対して報知する情報を前記無線通信手段により取得する報知情報取得ステップ、
予め設定された分類に応じて選択された前記複数の振動モータのうちの一部又は全部を動作させる振動報知制御ステップ、
を含むことを特徴とする報知方法。
【符号の説明】
【０１１５】
４１   ＣＰＵ
４２   ＲＯＭ
４２ａ イベント報知プログラム
４３   ＲＡＭ
４３ａ 報知設定記憶部
４４   操作部
４４ａ〜４４ｄ       押しボタンスイッチ
４５   表示部
４６   ドライバ
４７   計時回路
４８   Bluetoothモジュール
４９   ＵＡＲＴ
５０   第１振動モータ
５０ｂ 第１振動モータ
５０ａ、５２ａ       分銅
５１   ドライバ
５２   第２振動モータ
５２ｂ 第２振動モータ
５３   ドライバ
５４   照明部
５５   ドライバ
５６   ブザー
５７   ドライバ
５８   バス
６０   第３振動モータ
６１   ドライバ
６２   第４振動モータ
６３   ドライバ
７１   裏蓋
７１ａ 裏蓋上部
７１ｂ 裏蓋下部
７１ｃ 緩衝部材
７１ｄ 裏蓋
７１ｅ 裏蓋
７１０、７１１       突起部
７２   ケーシング
７２ｂ ケーシング
７２ｅ ケーシング
７３ａ、７３ｂ       バンド
７５   バッテリ
１００ スマートフォン
２００ タブレット端末
４００ 電子腕時計
４００ｃ      電子腕時計
４００ｄ      電子腕時計
ＡＮ４ アンテナ
Ｓ     報知システム
【図１】
2014239360.tif 000003
【図２】
2014239360.tif 000004
【図３】
2014239360.tif 000005
【図４】
2014239360.tif 000006
【図５】
2014239360.tif 000007
【図６】
2014239360.tif 000008
【図７】
2014239360.tif 000009
【図８】
2014239360.tif 000010
【図９】
2014239360.tif 000011
【図１０】
2014239360.tif 000012
【図１１】
2014239360.tif 000013
【図１２】
2014239360.tif 000014
【図１３】
2014239360.tif 000015
【図１４】
2014239360.tif 000016
【図１５】
2014239360.tif 000017
【図１６】
2014239360.tif 000018
【図１７】
2014239360.tif 000019
【図１８】
2014239360.tif 000020
【図１９】
2014239360.tif 000021
【図２０】
2014239360.tif 000022
【図２１】
2014239360.tif 000023
【図２２】
2014239360.tif 000024
【図２３】
2014239360.tif 000025